(57)【要約】      （修正有）【課題】タブレットコンピューターやスマートフォンを用いた内視鏡下外科手術トレーニング器具を提供する。【解決手段】内視鏡下外科手術トレーニング器具として、裏面にカメラレンズを有するタブレットコンピューター又はスマートフォンを所定位置に載置する板体からなるデバイス支持板１０と、前記デバイス支持板の、前記タブレットコンピューター又はスマートフォンを前記所定位置に載置したときに、前記カメラレンズが存する位置が含まれるように形成される孔又は切り欠きからなるレンズ用開口部１１と、前記デバイス支持板の、前記タブレットコンピューター又はスマートフォンを前記所定位置に載置したときに、当該タブレットコンピューター又はスマートフォンの両側に形成される孔からなる器具挿入孔１２とから構成する。【選択図】図４
0003189531.tif 000002
【実用新案登録請求の範囲】
【請求項１】
裏面にカメラレンズを有するタブレットコンピューター又はスマートフォンを所定位置に載置する板体からなるデバイス支持板と、
前記デバイス支持板の、前記タブレットコンピューター又はスマートフォンを前記所定位置に載置したときに、前記カメラレンズが存する位置が含まれるように形成される孔又は切り欠きからなるレンズ用開口部と、
前記デバイス支持板の、前記タブレットコンピューター又はスマートフォンを前記所定位置に載置したときに、当該タブレットコンピューター又はスマートフォンの両側に形成される孔からなる器具挿入孔と
を有する内視鏡下外科手術トレーニング器具。
【請求項２】
前記デバイス支持板の縁部に、当該縁部に平行な回転軸回りに回動可能に縁部が連結される板体からなる台座板と、
前記デバイス支持板と台座板とが一定角度を有した状態に保持するとともに、当該保持を解除できる角度保持手段と、
前記台座板を水平とし、デバイス支持板を上方側に前記一定角度だけ回動させ、かつ、前記デバイス支持板の、前記タブレットコンピューター又はスマートフォンを前記所定位置に載置したときに、当該タブレットコンピューター又はスマートフォンの下縁に当接する位置に設けられる突起からなるデバイス保持体と
を有する内視鏡下外科手術トレーニング器具。
【請求項３】
前記デバイス保持体は、前記デバイス支持板に対して２以上の場所に移動させることが可能に形成される請求項２に記載の内視鏡下外科手術トレーニング器具。
【請求項４】
前記レンズ用開口部は、複数種類の前記タブレットコンピューター又はスマートフォンの前記カメラレンズの位置に対応するように、複数の孔、もしくは、横長の孔又は横長の切り欠きによって形成される請求項１から３のいずれか１項に記載の内視鏡下外科手術トレーニング器具。
【考案の詳細な説明】
【技術分野】
【０００１】
本考案は、内視鏡下外科手術の手技を机上でトレーニングするための器具に関する。
【背景技術】
【０００２】
内視鏡下外科手術は、体表面に設けた小さな孔から特殊な器具を差し込み、カメラ画像で当該器具の先端を見ながら行なうものであるため、特別な手技が必要となる。内視鏡下外科手術の手技の習得においては、最初から人体で訓練するわけにはいかないために、下記特許文献に示されるようなトレーニング器具を用いることが一般に行なわれている。
このようなトレーニング器具は、カメラ設置部と、器具を挿入する穴が設けられた板状部分と、手技を行なう台座部分とから構成され、カメラ設置部に設けられるカメラを外部モニターに接続して、当該モニターの映像を見ながら手技の訓練を行なうものである。
【先行技術文献】
【特許文献】
【０００３】
【特許文献１】特開平7-127240号公報
【特許文献２】特開2012-81103号公報
【考案の概要】
【考案が解決しようとする課題】
【０００４】
このような従来の内視鏡下外科手術トレーニング器具は外部モニターに接続する必要があるために、携帯性が悪く、カメラとモニター間のケーブルの接続が必要となり、外部電源が必要となることが多い。
ところで、近年スマートフォンやタブレットコンピューターが広く普及してきており、これらには背面にカメラが標準で設けられているものも多い。そこで、このようなカメラ付きのスマートフォンやタブレットコンピューターを利用すれば、より簡易な構成で内視鏡下外科手術トレーニング器具を構成することができると考えられる。
本考案は、このような観点に立ち、タブレットコンピューターやスマートフォンを用いた内視鏡下外科手術トレーニング器具を提供することを課題とする。
【課題を解決するための手段】
【０００５】
上記課題を解決するために、本考案は次のような構成を有する。
請求項１に記載の考案は、裏面にカメラレンズを有するタブレットコンピューター又はスマートフォンを所定位置に載置する板体からなるデバイス支持板と、前記デバイス支持板の、前記タブレットコンピューター又はスマートフォンを前記所定位置に載置したときに、前記カメラレンズが存する位置が含まれるように形成される孔又は切り欠きからなるレンズ用開口部と、前記デバイス支持板の、前記タブレットコンピューター又はスマートフォンを前記所定位置に載置したときに、当該タブレットコンピューター又はスマートフォンの両側に形成される孔からなる器具挿入孔とを有する内視鏡下外科手術トレーニング器具である。
請求項２に記載の考案は、前記内視鏡下外科手術トレーニング器具において、前記デバイス支持板の縁部に、当該縁部に平行な回転軸回りに回動可能に縁部が連結される板体からなる台座板と、前記デバイス支持板と台座板とが一定角度を有した状態に保持するとともに、当該保持を解除できる角度保持手段と、前記台座板を水平とし、デバイス支持板を上方側に前記一定角度だけ回動させ、かつ、前記デバイス支持板の、前記タブレットコンピューター又はスマートフォンを前記所定位置に載置したときに、当該タブレットコンピューター又はスマートフォンの下縁に当接する位置に設けられる突起からなるデバイス保持体とを有する内視鏡下外科手術トレーニング器具である。
請求項３に記載の考案は、請求項２に記載の内視鏡下外科手術トレーニング器具において、前記デバイス保持体は、前記デバイス支持板に対して２以上の場所に移動させることが可能に形成されるものである。
請求項４に記載の考案は、前記内視鏡下外科手術トレーニング器具において、前記レンズ用開口部が、複数種類の前記タブレットコンピューター又はスマートフォンの前記カメラレンズの位置に対応するように、複数の孔、もしくは、横長の孔又は横長の切り欠きによって形成されるものである。
【考案の効果】
【０００６】
以上のような構成により、本考案は次のような効果を奏する。
請求項１に記載の考案は、デバイス支持板の所定位置にタブレットコンピューター又はスマートフォンを載置すると、タブレットコンピューター等の表示画面が表面を向き、裏面のカメラはデバイス支持板の裏面が向かう方向を撮像する。タブレットコンピューター等は撮影モードにあるときは、カメラが撮影した画像をそのまま表示画面に映すので、デバイス支持板を適当な作業面上に保持すれば、作業面がタブレットコンピューター等の表示画面に写されることになる。従って、この状態で、デバイス支持板に設けられる器具挿入孔から内視鏡下外科手術用の器具を挿入し、タブレットコンピューター等の表示画面を確認しながら、作業面上で縫合等の手技をトレーニングすることができる。このように、本考案は、携帯性の高いタブレットコンピューター又はスマートフォンをそのままカメラ及びモニターとして用いるので、携帯性が高く、カメラとモニターとを接続するケーブル等を不要とすることができ、また、外部電源も必要としない。
請求項２に記載の考案は、台座板を机上に置いて、台座板の上面を作業面とし、角度保持手段によってデバイス支持板を傾けた状態で固定するとともに、傾いたデバイス支持板上に載置するタブレットコンピューター又はスマートフォンの下縁をデバイス保持体で保持すれば、台座部上面を作業面として上述したような内視鏡下外科手術の手技をトレーニングすることができる。そして、角度保持手段による角度保持を解除すれば台座板とデバイス支持板とを互いに近づくように回動させて畳むことで薄くすることができるので、運搬性、収納性が良い。
請求項３に記載の考案は、タブレットコンピューター等は下縁の位置とカメラの位置との関係が、種類や大きさによって異なるが、前記デバイス保持体の位置を変えることで、複数種類のタブレットコンピューター等を用いることが可能となる。
請求項４に記載の考案は、前記レンズ用開口部を複数の孔や横長の孔又は横長の切り欠きとすることで、やはり、カメラレンズ位置の異なる複数種類のタブレットコンピューター等を用いることが可能となる。
【図面の簡単な説明】
【０００７】
【図１】実施形態に係る内視鏡下外科手術トレーニング器具の斜視図である。
【図２】実施形態に係る内視鏡下外科手術トレーニング器具の斜視図の側面図である。
【図３】実施形態に係る内視鏡下外科手術トレーニング器具を畳んだ状態を示す斜視図である。
【図４】（ａ）（ｂ）は実施形態に係る内視鏡下外科手術トレーニング器具の使用手順を示す斜視図である。
【図５】第一の変形例に係る内視鏡下外科手術トレーニング器具の斜視図である。
【図６】第二の変形例に係る内視鏡下外科手術トレーニング器具の斜視図である。
【図７】第三の変形例に係る内視鏡下外科手術トレーニング器具の斜視図である。
【図８】第四の変形例に係る内視鏡下外科手術トレーニング器具の斜視図である。
【考案を実施するための形態】
【０００８】
以下、本考案の実施の形態について、図面を参照しながら説明する。
図１に本実施形態に係る内視鏡下外科手術トレーニング器具Ｘの斜視図を示し、図２に内視鏡下外科手術トレーニング器具Ｘの側面図を示す。内視鏡下外科手術トレーニング器具Ｘは、デバイス支持板１０、台座板２０とから構成される。
デバイス支持板１０は硬質な横長の長方形状の板体からなる。デバイス支持板１０には、カメラレンズ用開口部１１、器具挿入孔１２、デバイス保持部１３、脚板１４が設けられる。カメラレンズ開口部１１は、想定されるタブレットコンピューターの背面に設けられるカメラレンズよりもやや大きく形成される孔であり、デバイス支持板１０の中央やや上辺寄りに形成される。器具挿入孔１２は内視鏡下外科手術に用いられる器具が通る大きさの孔であって、デバイス支持板１０に想定されるタブレットコンピューターの背面のカメラレンズがカメラレンズ用開口部１１の位置にある状態で、デバイス支持板１０の当該タブレットコンピューターよりも両側寄りの位置に設けられる。ここでは器具挿入孔１２は上下に２組の計４個設けられているが、器具挿入孔１２の数は適宜変更してよい。また、ここでは器具挿入孔１２にはゴムリングが嵌められて固定されているが、別の素材のリングを嵌めてもよく、リングを嵌めない単なる孔によって形成してもよい。デバイス保持部１３は想定されるタブレットコンピューターの背面のカメラレンズがカメラレンズ用開口部１１の位置にある状態で当該タブレットコンピューターの下縁に当接するようにデバイス支持板１０の表面に設けられる棒状の部材により構成される。脚板１４は細長い長方形状の板体であり、長辺がデバイス支持板１０の長辺と平行になるように、デバイス支持板１０の背面下方寄りの位置に柔軟なベルト部材で連結されることにより回動可能に設けられる。
台座板２０は、デバイス支持板１０とほぼ同じ形状を有する硬質な横長の長方形状の板体からなり、前縁がデバイス支持板１０の下縁に柔軟なベルト部材で連結されることにより回動可能に固定される。台座部２０の表面には脚板係合部２１が設けられる。脚板係合部２１は断面Ｌ字状の長尺部材であって、台座部２０の長辺に平行に、台座部２０前縁寄りに固定される。図２に示すように、脚板１４の下縁が脚板係合部２１に当接することで、脚板１４が移動しないように規制され、これによりデバイス支持板１０は台座板２０に対して一定角度をもった状態で維持される。即ち、脚板１４と脚板係合部２１とにより、デバイス支持板１０と台座板２０とが一定角度を有した状態に保持するとともに、当該保持を解除できる角度保持手段を形成する。ここでは、脚板係合部２１を２つ設けることにより、デバイス支持板１０を台座板２０に対して異なる角度で支持できるようにしている。
【０００９】
次に、以上のような構成を有する内視鏡下外科手術トレーニング器具Ｘの使用方法について説明する。通常は脚板１４を脚板係合部２１から外した状態でデバイス支持板１０と平行になるように倒し、さらにデバイス支持板１０を台座板２０に平行になるように倒すことで、図３に示すように薄い板状にして収納、運搬できるようにしておく。
この状態から、内視鏡下外科手術トレーニングを行なうには、まず、デバイス支持板１０を起こして、脚板１４を回動させて下端をいずれかの脚板係合部２１に掛けて図１に示すような状態とする。次に、図４（ａ）（ｂ）に示すように、所定のタブレットコンピューターＰを撮影モードにして、背面のカメラレンズＬがカメラレンズ用開口部１１に位置するようにデバイス支持板１０上に載せ、タブレットコンピューターＰの下縁をデバイス保持部１３に当接させて保持させる。この状態でタブレットコンピューターＰの表示部Ｍには、台座板２０の後ろ半分の表面がカメラレンズＬに写され、表示部Ｍに表示される。この状態で、使用者は器具を器具挿入孔１２から差し入れ、表示部Ｍを見ながら、表示部Ｍの表示範囲で、挿入した器具によって縫合等の訓練を行なう。
このように本実施形態に係る内視鏡下外科手術トレーニング器具Ｘは、携帯性に優れるタブレットコンピューターのカメラとモニターをそのまま利用することで、図３のように薄く畳める内視鏡下外科手術トレーニング器具Ｘとともに鞄等に入れて持ち運ぶことが可能であり、また、使用しないときは場所を取ることなく収納することができる。
【００１０】
なお、上記実施形態ではタブレットコンピューター用の内視鏡下外科手術トレーニング器具を例示したが、スマートフォンでも背面にカメラレンズを有するものがあるので、タブレットコンピューターに代えてスマートフォンを用いることができる。
また、タブレットコンピューターやスマートフォンは、メーカーや機種によって大きさやカメラレンズ位置が異なるので、図５に示す内視鏡下外科手術トレーニング器具Ｙのように複数の場所にカメラレンズ開口部１１ａ、１１ｂ、１１ｃを設けたり、図６に示す内視鏡下外科手術トレーニング器具Ｚのようにカメラレンズ開口部１１ｄとしてカメラレンズが存しうる幅広い範囲に切り欠きを形成したりするようにしてもよい。
さらに、タブレットコンピューターやスマートフォンの大きさの違いに対応できるように、デバイス保持部１３の位置を変えることができるようにしてもよい。具体的には、図７に示す内視鏡下外科手術トレーニング器具Ｖのように、デバイス保持部１３Ａの裏に円筒形の突起を設けておき、当該突起に係合できる孔１３bを複数、デバイス支持板１０に形成し、これにより選択する孔１３ｂの位置でデバイス保持部１３Ａの位置を変えるようにすること等が例示される。
そして、デバイス支持板１０の支持方法は適宜変更してよく、例えば、図８に示す内視鏡下外科手術トレーニング器具Ｗのように、前後が開放した箱体の上部をデバイス支持板１０として、当該箱体の下部上面を作業台とする等の方法でもよい。なお、図８の箱は、角部と側面の折れ目１５が折れることで平たく畳むことが可能である。
【符号の説明】
【００１１】
Ｘ、Ｙ、Ｚ、Ｖ、Ｗ  内視鏡下外科手術トレーニング器具
１０  デバイス支持板
１１  カメラレンズ用開口部
１２  器具挿入孔
１３  デバイス保持部
１４  脚板
２０  台座板
２１  脚板係合部
【図１】
0003189531.tif 000003
【図２】
0003189531.tif 000004
【図３】
0003189531.tif 000005
【図４】
0003189531.tif 000006
【図５】
0003189531.tif 000007
【図６】
0003189531.tif 000008
【図７】
0003189531.tif 000009
【図８】
0003189531.tif 000010
【手続補正書】
【提出日】平成26年1月8日(2014.1.8)
【手続補正１】
【補正対象書類名】実用新案登録請求の範囲
【補正対象項目名】全文
【補正方法】変更
【補正の内容】
【実用新案登録請求の範囲】
【請求項１】
裏面にカメラレンズを有するタブレットコンピューター又はスマートフォンを所定位置に載置する板体からなるデバイス支持板と、
前記デバイス支持板の、前記タブレットコンピューター又はスマートフォンを前記所定位置に載置したときに、前記カメラレンズが存する位置が含まれるように形成される孔又は切り欠きからなるレンズ用開口部と、
前記デバイス支持板の、前記タブレットコンピューター又はスマートフォンを前記所定位置に載置したときに、当該タブレットコンピューター又はスマートフォンの両側に形成される孔からなる器具挿入孔と
を有する内視鏡下外科手術トレーニング器具。
【請求項２】
前記デバイス支持板の縁部に、当該縁部に平行な回転軸回りに回動可能に縁部が連結される板体からなる台座板と、
前記デバイス支持板と台座板とが一定角度を有した状態に保持するとともに、当該保持を解除できる角度保持手段と、
前記台座板を水平とし、デバイス支持板を上方側に前記一定角度だけ回動させ、かつ、前記デバイス支持板の、前記タブレットコンピューター又はスマートフォンを前記所定位置に載置したときに、当該タブレットコンピューター又はスマートフォンの下縁に当接する位置に設けられる突起からなるデバイス保持体と
を有する請求項１に記載の内視鏡下外科手術トレーニング器具。
【請求項３】
前記デバイス保持体は、前記デバイス支持板に対して２以上の場所に固定させることが可能に形成される請求項２に記載の内視鏡下外科手術トレーニング器具。
【請求項４】
前記レンズ用開口部は、複数種類の前記タブレットコンピューター又はスマートフォンの前記カメラレンズの位置に対応するように、複数の孔、もしくは、横長の孔又は横長の切り欠きによって形成される請求項１から３のいずれか１項に記載の内視鏡下外科手術トレーニング器具。